(57)【要約】【課題】ケーブルの引き回しに対する耐久性をより高めた構造の改良された電気コネクタを提供する。【解決手段】複数の端子１が装着された絶縁ハウジング２にシールドケース３が被せられ、各端子１にはケーブル５の電線５１が接続されて、オーバーモールド部４で固定されかつ外形が形成されている。シールドケース３が、絶縁ハウジング２の端子１が装着された角筒状部分２１１に嵌装された角筒状部分３１１と、端子１と電線５１が接続された部分１３ａ、１３ｂを内部に収容するボックス状部分３１２とを備え、角筒状部分３１１とボックス状部分３１２が連続片３３を介して連続しているとともに、角筒状部分３１１の端縁から折り曲げ片３１５が外側に突出して設けられ、これらの連続片３３と折り曲げ片３１５がオーバーモールド部４に埋設されて、折り曲げ片３１５とオーバーモールド部４の樹脂が係止させてある。【選択図】　図１
2004063365.tif 000002
【特許請求の範囲】
【請求項１】
複数の端子（１）が装着された絶縁ハウジング（２）にシールドケース（３）が被せられ、各端子（１）にはケーブル（５）の電線（５１）が接続されて、オーバーモールド部（４）で固定されかつ外形が形成されている電気コネクタにおいて、
前記シールドケース（３）が、絶縁ハウジング（２）の端子（１）が装着された部分（２１）に嵌装された筒状部分（３１１）と、端子（１）と電線（５１）が接続された部分（１３ａ、１３ｂ）を内部に収容するボックス状部分（３１２）とを備え、
筒状部分（３１１）とボックス状部分（３１２）が連続片（３３）を介して連続しているとともに、筒状部分（３１１）の端縁から折り曲げ片（３１５）が外側に突出して設けられ、これらの連続片（３３）と折り曲げ片（３１５）が前記オーバーモールド部（４）に埋設されて、折り曲げ片（３１５）とオーバーモールド部（４）の樹脂が係止させてあることを特徴とする電気コネクタ。
【請求項２】
前記筒状部分は、角筒状部分（３１１）とされ、一つの壁が前記連続片（３３）でボックス状部分（３１２）と連続し、三つの壁から前記折り曲げ片（３１５）が突出して設けられている請求項１に記載の電気コネクタ。
【請求項３】
前記連続片（３３）は、屈曲成形されて筒状部分（３１１）とボックス状部分（３１２）のセンターが略一致するようにされ、かつ、長手方向に沿って補強リブ（３３１）が設けられている請求項１または２に記載の電気コネクタ。
【請求項４】
前記絶縁ハウジング（２）の嵌合端（６）が延びる方向と、前記端子（１）に接続されているケーブル（５）の延びる方向が略直角で交差して、全体がＬ字状の形状をしている請求項１−３のいずれかに記載の電気コネクタ。
【請求項５】
複数の端子（１）が装着された絶縁ハウジング（２）にシールドケース（３）が被せられ、各端子（１）にはケーブル（５）の電線（５１）が接続されて、オーバーモールド部（４）で固定されかつ外形が形成されている電気コネクタにおいて、
前記シールドケース（３）が、絶縁ハウジング（２）の端子（１）が装着された部分（２１）に嵌装された筒状部分（３１１）と、端子（１）とケーブル（５）の電線（５１）が接続された部分（１３ａ、１３ｂ）を内部に収容するボックス状部分（３１２）を備えたシールド本体（３１）と、
シールド本体（３１）に組み付けられたシールドキャップ（３２）とで構成され、前記ボックス状部分（３１２）から帯状片（３１８）が延びて、帯状片（３１８）の端部にケーブルクランプ（３１９）が設けられるとともに、前記シールドキャップ（３２）から垂下片（３２４）が延びて、垂下片（３２４）の端部にケーブル押さえ（３２５）が設けられ、
ケーブルクランプ（３１９）でケーブル（５）とケーブル押さえ（３２５）を共締めしていることを特徴とする電気コネクタ。
【請求項６】
前記シールドキャップ（３２）は、ボックス状部分（３１２）の端部開口部より小さい方形板（３２１）と、方形板（３２１）の上縁および側縁から延びる屈曲した連結片（３２２、３２３）と、方形板（３２１）の下縁から延びる前記垂下片（３２４）を有し、連結片（３２２、３２３）相互の間と連結片（３２３）と垂下片（３２４）の間に隙間（３２６）が形成されている請求項５に記載の電気コネクタ。
【請求項７】
前記シールドキャップ（３２）の方形板（３２１）と連結片（３２２、３２３）および垂下片（３２４）が、シールド本体（３１）のボックス状部分（３１２）に形成された端部開口部を塞いでいる請求項６に記載の電気コネクタ。
【請求項８】
前記筒状部分（３１１）とボックス状部分（３１２）が連続片（３３）を介して連続しているとともに、筒状部分（３１１）の端縁から折り曲げ片（３１５）が外側に突出して設けられ、これらの連続片（３３）と折り曲げ片（３１５）が前記オーバーモールド部（４）に埋設されて、折り曲げ片（３１５）とオーバーモールド部（４）の樹脂が係止させてある請求項５−７のいずれかに記載の電気コネクタ。
【請求項９】
前記筒状部分は、角筒状部分（３１１）とされ、一つの壁が前記連続片（３３）でボックス状部分（３１２）と連続し、三つの壁から前記折り曲げ片（３１５）が突出して設けられている請求項８に記載の電気コネクタ。
【請求項１０】
前記連続片（３３）は、屈曲成形されて筒状部分（３１１）とボックス状部分（３１２）のセンターが略一致するようにされ、かつ、長手方向に沿って補強リブ（３３１）が設けられている請求項８または９に記載の電気コネクタ。
【請求項１１】
前記絶縁ハウジング（２）の嵌合端（６）が延びる方向と、前記端子（１）に接続されているケーブル（５）の延びる方向が略直角で交差して、全体がＬ字状の形状をしている請求項５−１０のいずれかに記載の電気コネクタ。
【発明の詳細な説明】
【０００１】
【発明の属する技術分野】
この発明は、電気コネクタに係り、更に詳しくはパーソナルコンピュータその他の電子機器とその周辺装置を接続するＩ／Ｏコネクタとして使用される電気コネクタに関する。
【０００２】
【従来の技術】
従来、この種の電気コネクタとして、複数の端子が装着された絶縁ハウジングにシールドケースが被せられ、各端子にはケーブルの電線が接続されて、オーバーモールド部で固定されかつ外形が形成されているものがある。たとえば、特開平１−２９４３８５号公報に開示されたＬ字形の電気コネクタがある。ケーブルの延びる方向と嵌合端の延びる方向が略直角で交差している。また、特開平１０−２７０１１３号公報に開示されたストレート形の電気コネクタもある。ケーブルの延びる方向と嵌合端の延びる方向が同一の直線上にある構成である。
オーバーモールド部でケーブルが固定されて、ケーブルの引き回しによって、ケーブルの電線と端子の接続部分に外力が加わらないようにして接続部分を保護するようにしている。
【０００３】
【発明が解決しようとする課題】
このように、ケーブルの電線と端子の接続部分を、ケーブルの引き回し時に加わる外力から保護するために、電気コネクタを構成する各部材をオーバーモールド部に埋設するようにする技術が一般に採用されているが、ケーブルの引き回しによって、ケーブルの電線と端子の接続部分を保護するのみならず、オーバーモールド部とケーブルの一体性や、オーバーモールド部とシールドケースの一体性を高めて、より一層高い耐久性を備えた電気コネクタが要望されている。
【０００４】
したがって、この発明は、ケーブルの引き回しに対する耐久性をより高めた構造の改良された電気コネクタを提供することを目的としている。
【０００５】
【課題を解決するための手段】
上記の目的を達成するこの発明は、複数の端子が装着された絶縁ハウジングにシールドケースが被せられ、各端子にはケーブルの電線が接続されて、オーバーモールド部で固定されかつ外形が形成されている電気コネクタにおいて、
前記シールドケースが、絶縁ハウジングの端子が装着された部分に嵌装された筒状部分と、端子と電線が接続された部分を内部に収容するボックス状部分とを備え、
筒状部分とボックス状部分が連続片を介して連続しているとともに、筒状部分の端縁から折り曲げ片が外側に突出して設けられ、これらの連続片と折り曲げ片が前記オーバーモールド部に埋設されて、折り曲げ片とオーバーモールド部の樹脂が係止させてあることを特徴とする電気コネクタである。
【０００６】
また、別の発明は、複数の端子が装着された絶縁ハウジングにシールドケースが被せられ、各端子にはケーブルの電線が接続されて、オーバーモールド部で固定されかつ外形が形成されている電気コネクタにおいて、
前記シールドケースが、絶縁ハウジングの端子が装着された部分に嵌装された筒状部分と、端子とケーブルの電線が接続された部分を内部に収容するボックス状部分を備えたシールド本体と、
シールド本体に組み付けられたシールドキャップとで構成され、
前記ボックス状部分から帯状片が延びて、帯状片の端部にケーブルクランプが設けられるとともに、前記シールドキャップから垂下片が延びて、垂下片の端部にケーブル押さえが設けられ、
ケーブルクランプでケーブルとケーブル押さえを共締めしていることを特徴とする電気コネクタである。。
【０００７】
【作用】
このように構成されるこの発明の電気コネクタによれば、シールドケースを筒状部分とボックス状部分が連続片を介して連続した構成とし、そして、筒状部分の端縁から折り曲げ片を外側に突出して設けて、これらの連続片と折り曲げ片をオーバーモールド部に埋設して、折り曲げ片とオーバーモールド部の樹脂を係止させたので（請求項１）、シールドボックスの筒状部分とオーバーモールド部の一体性を向上し、ケーブルの引き回し如何によって筒状部分に負荷がかかっても、シールドケースとオーバーモールド部が分離しないようにでき、また、シールドケースとオーバーモールド部が一体となって引き回しによる負荷に対抗し、連続片が折れるのも防止する。
【０００８】
また、シールドケースのボックス状部分から帯状片を延ばし、帯状片の端部にケーブルクランプを設けるとともに、シールドキャップから垂下片を延ばして、垂下片の端部にケーブル押さえを設け、ケーブルクランプでケーブルとケーブル押さえを共締めしたので（請求項５）、ケーブルをオーバーモールド部と一体のシールドケースでしっかりと保持して、ケーブルの引き回しによって、端子と電線の接続部分に負荷がかからないようにすることができる。
【０００９】
【発明の実施の形態】
以下、この発明の実施形態を添付の図を参照して説明する。
【００１０】
図１は、図２−図５に示した外観の電気コネクタの断面であり、図２中のＡ−Ａ線に沿って示したものである。この電気コネクタは、複数の端子１と、端子１を支持している絶縁ハウジング２と、絶縁ハウジング２を覆っているシールドケース３と、外形を形成しているオーバーモールド部４とで構成されている。オーバーモールド部４は、前記端子１に接続されたケーブル５がシールドケース３によって固定された状態で被覆形成されている。この電気コネクタは、ケーブル５が延びている方向と、シールドケース３で囲まれた絶縁ハウジング２の嵌合端６が延びる方向が略直角で交差し、全体がＬ字状の形状をしている。
【００１１】
端子１を支持している絶縁ハウジング２は、図６−図１１、特に図１０、１１に示されているように、ハウジング本体２１とハウジングキャップ２２の二つで構成されている。それぞれは、絶縁性のプラスチックを成形したものである。ハウジング本体２１は、嵌合端６から後方（図６において左方）に角筒状部分２１１が延び、その後端に結合フランジ部分２１２が形成されている。角筒状部分２１１には、端子受入空洞２１３が複数列、複数段（図は４列２段）に形成され、嵌合端６側内側に設けられたリセプタクル受け入れ空洞２１４に連通している。前記端子１は、端子受入空洞２１３に挿入されて係止する装着片１１の前端にコンタクト片１２が片持ち梁状に延びており、装着片１１を端子受入空洞２１３に後端側から装着すると、コンタクト片１２がリセプタクル受け入れ空洞２１４に臨むようにされている。端子１の装着片１１の後端にはターミナル片１３ａ、１３ｂが連続しており、角筒状部分２１１の後端から後方に延びるようにされている。
【００１２】
端子１の装着片１１の後端側に延びている２種類のターミナル片１３ａ、１３ｂは、長さが互いに異なっており、ターミナル片１３ａがターミナル片１３ｂより長くなっている。また、長さの異なるターミナル片１３ａ、１３ｂは、装着片１１の一側または他側に偏位し、後端側から見てターミナル片１３ａ、１３ｂが各段で千鳥状に配置されるようにされている（図８）。
【００１３】
絶縁ハウジング２を構成するもう一方のハウジングキャップ２２は、ハウジング本体２１の結合フランジ部分２１２の後端面２１５に突き当たる突き当て面２２１を備えたブロック状の形状をしており、千鳥状に配置された前記ターミナル片１３ａ、１３ｂに対応させてターミナル挿通孔２２２が千鳥状の配列で形成されている。各ターミナル挿通孔２２２は、１本のターミナル片１３ａ、１３ｂを隙間なく挿通できる大きさとなっている。ターミナル挿通孔２２２に前記ターミナル片１３ａ、１３ｂを挿通するようにして突き当て面２２１を結合フランジ部分２１２の後端面２１５に突き当てると、各ターミナル片１３ａ、１３ｂの端部が、図６、８に表れているように、支持面２２３上に露出し、図１のように、ケーブル５の電線５１を接続（半田付け）できるようにされている。支持面２２３には、ターミナル片１３ａ、１３ｂを隔離できるように分離突条２２４が設けられ、ターミナル片１３ａ、１３ｂが短絡するのを防止し、また、半田などの接続部材が流出しないようにされている。
【００１４】
ハウジング本体２１とハウジングキャップ２２は、ハウジング本体２１の結合フランジ部分２１２の両側から後方に突出するように設けたラッチ片２１６をハウジングキャップ２２の側壁に係合させて結合され、ハウジング本体２１に形成した端子受入空洞２１３の後端開口部分即ち端子１の挿入口はハウジングキャップ２２によって閉鎖されるようになっている。
【００１５】
次に、シールドケース３は、図１２−図１６に示したシールド本体３１と、図１７−図２１に示したシールドキャップ３２とで構成されている。それぞれが金属板を打ち抜いて図示のように成形されている。シールド本体３１は、前記ハウジング本体２１の角筒状部分２１１の外側に隙間なく嵌る角筒状部分３１１と、前記ハウジング本体２１の結合フランジ部分２１２と前記ハウジングキャップ２２を収容するボックス状部分３１２とを備えている。角筒状部分３１１とボックス状部分３１２とは、対応する一つの側壁が連続片３３で連続しており、両者が一体となっている。連続片３３は、図１３に表れているように、屈曲成形されて角筒状部分３１１とボックス状部分３１２のセンターが略一致するようにされている。連続片３３の中央には長手方向に沿って補強リブ３３１が設けられて、角筒状部分３１１とボックス状部分３１２の一体性が補強されている。
【００１６】
角筒状部分３１１は、前記ハウジング本体２１の角筒状部分２１１と略同一の長さを有し、前端縁３１３が嵌合端６と一致できるようにされている。また、後端縁３１４は、前記ハウジング本体２１の結合フランジ部分２１２の前面に対向して接するようにされている。そして、この後端縁３１４に、前記連続片３３が設けられていない３つの壁、即ち、一つの側壁と上壁および底壁から折り曲げ片３１５が、それぞれ略直角に突出させて設けられている。
【００１７】
ボックス状部分３１２は、前記ハウジング本体２１の結合フランジ部分２１２とハウジングキャップ２２を収容するのに十分な容積を形成し、前記オーバーモールド部４を形成する樹脂が流入できる空隙が形成できるようにしている。このボックス状部分３１２の両側壁にはシールドキャップ３２と係合できるようにした係合片３１６が外側に打ち出されている。また、上側壁には、シールドキャップ３２と係合できるようにした細長い窓孔３１７が形成されている。更に、ボックス状部分３１２の底壁から帯状片３１８が逆Ｌ字状に延び、その先端には弧状に成形されたケーブルクランプ３１９が設けられている。
【００１８】
シールドキャップ３２は、前記シールド本体３１のボックス状部分３１２の後端開口部の方形の開口部より小さくした方形板３２１の上縁から屈曲した上部連結片３２２が前方（図１７中、右方向）に延び、両側縁から屈曲した側部連結片３２３が前方（図１７中、右方向）に延びて、上部連結片が前記ボックス状部分３１２の上側に、また側部連結片３２３がボックス状部分３１２の外側に重ねて結合できるようにしてある。また、方形板３２１の下縁からは屈曲した垂下片３２４が延びて、ボックス状部分３１２に設けた帯状片３１８と略平行となって対向するようにしてある。垂下片３２４の下端は断面を弧状とした幅広部でなるケーブル押さえ３２５としてある。上部連結片３２２と側部連結片３２３の間および垂下片３２４と側部連結片３２３の間には隙間３２６が形成され、前記オーバーモールド部４を形成する樹脂がシールドケース３の内部に流入できるようにされている。
【００１９】
上部連結片３２２の先端には、前記ボックス状部分３１２の細長い窓孔３１７に係合できるようにした係合片３２７が略直角に垂下させた形で設けられている。また、側部連結片３２３には、前記ボックス状部分３１２の係合片３１６に対応させた方形窓３２８が設けられている。はじめに係合片３２７を窓孔３１７に係合させ、その部分を基点にしてシールドキャップ３２全体を回動させて、側部連結片３２３をボックス状部分３１２の側壁に沿って前方へ移動させることで、方形窓３２８が係合片３１６の位置まで移動して係合し、シールドキャップ３２をシールド本体３１に結合できるようにされている。
【００２０】
図１および図２−図５に示された電気コネクタは、上記のように構成されている各部材を以下のようにして組み立てられている。すなわち、はじめに絶縁ハウジング２を構成しているハウジング本体２１の端子受入空洞２１３に後端側から端子１を装着し、ハウジング本体２１の後端からターミナル片１３ａ、１３ｂが突出したものを準備する。この準備されたものに、前記ハウジングキャップ２２を組み付ける。後方に突出しているターミナル片１３ａ、１３ｂをハウジングキャップ２２に形成したターミナル挿通孔２２２に通すようにしてハウジングキャップ２２を組み付ける。このようにハウジングキャップ２２を組み付けることで、ハウジング本体２１に形成した端子受入空洞２１３の後端側の開口部分がハウジングキャップ２２で塞がれることになる。
【００２１】
次に、ハウジングキャップ２２に形成した支持面２２３上に露出しているターミナル片１３ａ、１３ｂにケーブル５の電線５１を半田付けなどにより接続する。各ターミナル片１３ａ、１３ｂは、前記に説明した通り、分離突条２２４で短絡しないように分離されており、また分離突条２２４で溶融した半田が隣接するターミナル片１３ａ、１３ｂに回り込まないようにされているので、電線５１と対応するターミナル片１３ａ、１３ｂを適切に接続することが可能である。
【００２２】
上記のようにして電線５１が接続された絶縁ハウジング２に対し、次に、シールドケース３を構成したシールド本体３１をハウジング本体２１の嵌合端６側から嵌める。この状態を示したのが図２３及び図２４である（ただし、図２３では、ケーブル５を省略してある）。そして、後方に延びたケーブル５を図２５の矢示７のように曲げ、ケーブル５の端末に露出させたシールド網５２の部分をシールド本体３１のボックス状部分３１２の下側に設けられているケーブルクランプ３１９の内側に収容する。ケーブル５を曲げる際に、電線５１を接続したターミナル片１３ａ、１３ｂに外力が加わるが、ターミナル片１３ａ、１３ｂはハウジングキャップ２２の支持面２２３で支持されており、また、分離突条２２４で離隔されているので、半田剥がれなどの接続部の損傷やターミナル片１３ａ、１３ｂ相互の短絡が防止される。
【００２３】
次に、シールド本体３１のボックス状部分３１２にシールドキャップ３２を組み付けてボックス状部分３１２の後端の開口部を図２６及び図２７（ただし、図２７ではケーブル５を省略してある）のようにシールドキャップ３２で塞ぐ。ボックス状部分３１２の後端の開口部は、シールドキャップ３２を形成した方形板３２１と、上部連結片３２２および２つの側部連結片３２３の合計４つの面の部材で略塞がれる。シールドキャップ３２をボックス状部分３１２に組み付ける要領は前記した通りである。シールドキャップ３２を組み付けると、シールドキャップ３２の方形板３２１の下縁から垂下させた垂下片３２４が折り曲げられた電線５１に沿い、そしてケーブル押さえ３２５がシールド網５２の上に重なる。そこで、前記ケーブルクランプ３１９を図２８のようにケーブル５に巻き締めて、ケーブル５とケーブル押さえ３２５を共締めする。図２９は、この共締め部分の断面図を表している。
【００２４】
以上のようにして、端子１、絶縁ハウジング２、シールドケース３およびケーブル５を組み上げたものを所定の型に収容して絶縁性の樹脂をオーバーモールドしてオーバーモールド部４が成形され、図２−図５に示した外形の電気コネクタが完成している。オーバーモールド部４を構成した樹脂は、図１に示されているように、シールドキャップ３２に形成された隙間３２６を通してシールドケース３の内側にまで流入している。内側に流入した樹脂がハウジング本体２１側の端子受入空洞２１３の中に流入するのはハウジングキャップ２２で防がれている。したがって、端子１のコンタクト片１２がオーバーモールドの樹脂で汚染されることはなく、コンタクト片１２の接触不良を引き起こすような不具合はなくなっている。
【００２５】
シールドケース３内に流入した樹脂は、シールド本体３１の角筒状部分３１１とボックス状部分３１２を連結した連続片３３のところまで流入し、内部に収容されたケーブル５、電線５１を固定する。また、シールドケース３の外部に形成されたオーバーモールド部４の樹脂が、ケーブル５とケーブル押さえ３２５を共締めしたケーブルクランプ３１９の部分を包囲するとともに、シールドケース３のシールド本体３１の角筒状部分３１１の中間部までを包囲する。この角筒状部分３１１までを包囲した樹脂は、角筒状部分３１１に連続する連続片３３の外側を包囲し、連続片３３の内側に流入した樹脂と共同して連続片３３を埋め込み状態とする。また、角筒状部分３１１の後端縁３１４から突出させた３つの折り曲げ片３１５も埋め込み状態とし、折り曲げ片３１５がオーバーモールド部４の樹脂に係止する。
【００２６】
【発明の効果】
以上に説明したように、この発明によれば、ケーブルの引き回しに対する耐久性をより高めた構造の改良された電気コネクタを提供することができる。
【図面の簡単な説明】
【図１】この発明の実施形態の電気コネクタの拡大断面図であって、図２中のＡ−Ａ線に沿って示した断面図である。
【図２】実施形態の電気コネクタの正面図である。
【図３】同じく電気コネクタの底面図である。
【図４】同じく電気コネクタの左側面図である。
【図５】同じく電気コネクタの右側面図である。
【図６】実施形態の電気コネクタを構成した絶縁ハウジングの平面図である。
【図７】同じく絶縁ハウジングの正面図である。
【図８】同じく絶縁ハウジングの左側面図である。
【図９】同じく絶縁ハウジングの右側面図である。
【図１０】図６中のＢ−Ｂ線に沿って示した断面図である。
【図１１】図６中のＣ−Ｃ線に沿って示した断面図である。
【図１２】実施形態の電気コネクタを構成したシールド本体の正面図である。
【図１３】同じくシールド本体の底面図である。
【図１４】同じくシールド本体の左側面図である。
【図１５】同じくシールド本体の右側面図である。
【図１６】図１２中のＤ−Ｄ線に沿って示した断面図である。
【図１７】実施形態の電気コネクタを構成したシールドキャップの正面図である。
【図１８】同じくシールドキャップの平面図である。
【図１９】同じくシールドキャップの左側面図である。
【図２０】同じくシールドキャップの右側面図である。
【図２１】図２０中のＥ−Ｅ線に沿って示した断面図である。
【図２２】シールドキャップの斜視図である。
【図２３】絶縁ハウジングにシールドケースを組み付けた状態の斜視図である（ただし、ケーブルを省略）。
【図２４】実施形態の電気コネクタの組み立てを説明する図で、ケーブルが接続されたハウジング本体にシールド本体を嵌装した状態の図である。
【図２５】同じく、ケーブルをシールド本体のケーブルクランプ側に曲げた状態の図である。
【図２６】同じく、シールド本体にシールドキャップを組み付けた状態の図である。
【図２７】絶縁ハウジングとシールドケースを組み付けたものにシールドキャップを取り付けた状態の斜視図である（ただし、ケーブルは省略）。
【図２８】同じく、シールド本体のケーブルクランプでケーブルとケーブル押さえを共締めした状態の図である。
【図２９】図２８中のＦ−Ｆ線に沿って示した断面図である。
【符号の説明】
１　　　　　端子
１１　　　　装着片
１２　　　　コンタクト片
１３ａ、１３ｂ　ターミナル片
２　　　　　絶縁ハウジング
２１　　　　ハウジング本体
２１１　　　角筒状部分
２１２　　　結合フランジ部分
２１３　　　端子受入空洞
２１４　　　リセプタクル受け入れ空洞
２１５　　　後端面
２１６　　　ラッチ片
２２　　　　ハウジングキャップ
２２１　　　突き当て面
２２３　　　支持面
２２４　　　分離突条
３　　　　　シールドケース
３１　　　　シールド本体
３１１　　　角筒状部分
３１２　　　ボックス状部分
３１３　　　前端縁
３１４　　　後端縁
３１５　　　折り曲げ片
３１６　　　係合片
３１７　　　窓孔
３１８　　　帯状片
３１９　　　ケーブルクランプ
３２　　　　シールドキャップ
３２１　　　方形板
３２２　　　上部連結片
３２３　　　側部連結片
３２４　　　垂下片
３２５　　　ケーブル押さえ
３２６　　　隙間
３２７　　　係合片
３２８　　　方形窓
３３　　　　連続片
３３１　　　補強リブ
４　　　　　オーバーモールド部
５　　　　　ケーブル
５１　　　　電線
５２　　　　シールド網
６　　　　　嵌合端
【図１】
2004063365.tif 000003
【図２】
2004063365.tif 000004
【図３】
2004063365.tif 000005
【図４】
2004063365.tif 000006
【図５】
2004063365.tif 000007
【図６】
2004063365.tif 000008
【図７】
2004063365.tif 000009
【図８】
2004063365.tif 000010
【図９】
2004063365.tif 000011
【図１０】
2004063365.tif 000012
【図１１】
2004063365.tif 000013
【図１２】
2004063365.tif 000014
【図１３】
2004063365.tif 000015
【図１４】
2004063365.tif 000016
【図１５】
2004063365.tif 000017
【図１６】
2004063365.tif 000018
【図１７】
2004063365.tif 000019
【図１８】
2004063365.tif 000020
【図１９】
2004063365.tif 000021
【図２０】
2004063365.tif 000022
【図２１】
2004063365.tif 000023
【図２２】
2004063365.tif 000024
【図２３】
2004063365.tif 000025
【図２４】
2004063365.tif 000026
【図２５】
2004063365.tif 000027
【図２６】
2004063365.tif 000028
【図２７】
2004063365.tif 000029
【図２８】
2004063365.tif 000030
【図２９】
2004063365.tif 000031